(57)【要約】【課題】  シンプルなデザインを持ち、かつ書籍類をすべりや形崩れなく立てかけられる本立てを提供する。【解決手段】    平坦部３ａを持つ細長の底板３と、底板の平坦部から直立する仕切部５とを備え、底板３に、仕切部５と反対側に凸状の湾曲部３ｂを１つ又は２つ以上備えることを特徴とする。【選択図】        図１
2008061882.tif 000002
【特許請求の範囲】
【請求項１】
平坦部を持つ細長の底板と、
前記底板の平坦部から直立する仕切部とを備え、
前記底板に、前記仕切部と反対側に凸状の凸部を１つまたは２つ以上備えることを特徴とする、本立て。
【請求項２】
前記１つの凸部が前記底板の中央部において張り出す湾曲部であることを特徴とする、請求項１に記載の本立て。
【請求項３】
前記仕切部および前記底板の平坦部の少なくとも一方に、書籍との摩擦を高める摩擦増大部を備えることを特徴とする、請求項１または２に記載の本立て。
【発明の詳細な説明】
【技術分野】
【０００１】
本発明は、本立てに関し、より具体的には、デザイン性に優れ、かつ書籍、雑誌等のすべりや形崩れが起きにくい本立てに関するものである。
【背景技術】
【０００２】
腰の弱いソフトカバーの書籍や雑誌は、本立てに立てかけても自立することが難しく、湾曲してズレ落ちてしまい、整理整頓された状態で収納をすることができなかった。このような腰の弱い書籍や雑誌を、形崩れしない状態で整理するための本立てが、これまでに幾つか提案されてきた。たとえば、書籍の頁間に、隣り合って支持される保持板の一枚を挿し込んで、次いで書籍の背表紙下端部を収納する収納部に、上記保持板を挿し込んだままの書籍を収納し、隣り合う保持板でその書籍を両側から支える、本立ての提案がなされた（特許文献１）。このような本立てによれば、腰の弱い書籍や雑誌でも、いわば芯板を挿入された状態で、強制的に自立状態にさせられて、整理整頓の状態を維持することができる。また、底板を斜めにして、その斜めの底板に直交するように仕切板や端板を配置して、書籍の表紙を斜めの仕切板や端板に押し当てる本立ての提案もなされている（特許文献２）。このような斜めの仕切板や端板に表紙を押し当てることにより、ソフトカバーの書籍類であっても、形崩れを抑制して収納することができる。
【特許文献１】特開２０００−１５７３５２号公報
【特許文献２】特開平１１−３２８４５号公報
【発明の開示】
【発明が解決しようとする課題】
【０００３】
上記の本立てはどちらも部材間の固定のために複雑な機構を必要とし、いかつい外観を呈することは否めず、用途も事務処理などビジネス向きである。一方、家庭では多くの雑誌やソフトカバーの書籍に触れる機会は増えているため、くつろいだ雰囲気にマッチして、しかもソフトカバーの書籍でも形崩れしにくく、またハードカバーの書籍はすべって横にならず、整理整頓の状態を保てる本立ての潜在需要は大きいものがある。しかし、リビングルームなど家庭のくつろぎの場、またはビジネスであってもくつろぎを重視する事務所に適するように、シンプルなデザインを持ち、しかも上記書籍類を、すべりや形崩れなく立てかけられる本立てはこれまで提案されたことがなかった。
【０００４】
本発明は、シンプルなデザインを持ち、かつ書籍類のすべりや形崩れを防止することができる本立てを提供することを目的とする。
【課題を解決するための手段】
【０００５】
本発明の本立ては、平坦部を持つ細長の底板と、底板の平坦部から直立する仕切部とを備え、底板に、仕切部と反対側に凸状の凸部を１つまたは２つ以上備えることを特徴とする。
【０００６】
上記の構成によれば、１つの凸部の場合、本立てを平坦面に放置した状態にして、底板に直交して立つ仕切部に書籍を立てかけると、書籍の重量のため凸部を支点にして本立ては傾いて、傾斜状態に入る。このため、仕切部に書籍の表面が面的に押し当てられ、書籍下端に集中して書籍の重量がかからず、全体にわたって仕切部に書籍重量が分配される。この結果、書籍のすべりや形崩れは起らず、自立状態を保つことができる。また、本立ては平坦面に放置されることを前提とするので、余計な部材をそぎ落とすことができ、非常に簡単な構造で上記の機能を実現でき、機能性に富んだシンプルなデザインとすることができる。児童、学童、生徒、学生、大人などすべての国民は、書籍に親しむ時間を持つことが望ましいが、本立てのデザインのユニークに惹かれて、書籍を立てかけられた、この本立の状態に興味を持ち、書籍に一層親しむ習慣を身につけることが期待できる。
【０００７】
なお、上記説明では、最初は一冊目の書籍を立てかけるまでは、無負荷のシーソーが水平の平衡状態をとり、一冊目の書籍を立てかけたときにはじめて傾くような場合をあげたが、最も広くは、書籍をまったく立てかけない無負荷のときから傾いていてもよい。なお、凸部は、上述のように、広くは、１つに限定されず、複数であってもよい。また。凸部は底板と一体物であってもよいし、底板に取り付けられた部材であってもよい。
【０００８】
また、上記の１つの凸部を底板の中央部において張り出す湾曲部とすることができる。この構成によれば、無負荷のときは水平状態を保ち、書籍を立てかけたときシーソーのように傾き、湾曲部の弧状部分に沿って支点が移動する。このため、デザインのシンプルさが際立つとともに、傾きの動的な動きによってさらに動的デザインの面白さを醸し出すことができる。この結果、児童から大人まで、家庭にあってはリビングルーム、勉強部屋、書斎に置いて、書籍およびその整理への関心を高めることができる。また会社や学校等でも用いることにより、自由な発想を重んじる雰囲気を形成することができる。
【０００９】
上記の凸部または湾曲部は、平坦部と同じ厚みを持ち、平坦部と連続している部分とする構成にしてもよい。この構成により、上記のデザインのシンプルさ、機能美をさらに高めることができる。また、この本立てをプレスによる型押しなどにより製造することができ、簡単化することもできる。
【００１０】
また、仕切部および底板の平坦部の少なくとも一方に、書籍との摩擦を高めるようにした摩擦増大部を備えることができる。上記の本立ては、書籍を立てかけられたとき傾いて書籍の形崩れを防止できるものであるが、この構成により、傾いた状態の本立てにおいてすべりや形崩れに抗する大きな摩擦力を生じるため、ハードカバーの書籍のすべり、腰の弱い雑誌等の書籍の形崩れ等を、一層確実に防止することができる。
【００１１】
仕切部に設ける摩擦増大部は、仕切部に接する書籍（仕切部に最初に立てかける書籍）に対して、すべりや形崩れを防止する効果を高めることができる。仕切部に最初に立てかけた書籍がすべり、また形崩れしては、後から立てかける書籍はきちんとした自立状態で立てかけることはできないので、仕切部に設ける摩擦増大部は軽視することはできない。
【００１２】
また、上記の底板の平坦部の摩擦増大部により、書籍の下端部による底板表面のすべりを防止して、ハードカバー書籍のすべりや、腰の弱い書籍の形崩れを、より確実に防止することができる。たとえば上記最初の一冊目の立てかけによる傾きが完了するまでに、上記仕切部の摩擦増大部を設けてあっても生じるかもしれない書籍のすべりや形崩れを、より確実に防止することができる。また、２冊目以降の書籍に対しても、書籍下端部の底板上でのすべりを防止して、すべりや形崩れを有効に防止する。
【発明の効果】
【００１３】
本発明の本立ては、シンプルなデザイン性に優れ、かつ書籍類のすべりや形崩れを防止することができる。
【発明を実施するための最良の形態】
【００１４】
図１は、本発明の実施の形態における本立て１０を示す正面図である。細長い底板３は平坦部３ａを有し、さらに、平坦部３ａに連続する凸部である湾曲部３ｂが、細長の底板３の中央部に形成されている。底板３の平坦部３ａに直交するように仕切部５が、湾曲部３ｂが突き出る側とは反対側に設けられている。仕切部５の高さＨは、対象とする書籍類のサイズに合わせて適宜選べることができる。本立てを床などの平坦面に放置したとき、左右の重量バランスをとれば、書籍類を載せる前は、湾曲部３ｂの頂点を支点にして左右の平坦部３ａは、床から高さＫだけ浮くことになる。書籍類をのせない状態で、本立て１０が上記のような水平姿勢を保つことを重視する場合には、湾曲部３ｂの形状を台形に近づけて頂面（頂点ではなく）で床に接するようにするのがよい。また、２つの湾曲部を取付ける構造であってもよい（図１０、１１参照）。
【００１５】
図２および図３は、図１に示した本立て１０の、それぞれ上面図および側面図である。傾いた状態で書籍類を仕切部５に押し当てることができ、かつ機能的なデザインを強調するには、各部分の寸法が重要である。各部の寸法を例示すれば、たとえば、底板３の平面長さＫは１９２０ｍｍ、幅Ｗは３３０ｍｍ、底板３の厚み２５ｍｍ、湾曲部の床からの高さＫは５０ｍｍ、仕切部の高さＨは２００ｍｍとする。また、湾曲部３ｂを挟む中央の２つの仕切部５の間隔は４６０ｍｍ、それより端に位置する仕切部の間隔は３５０ｍｍの等間隔とする。これらの数値は、対象とする雑誌のサイズ、重量、この本立てが配置される場所の広さ、等を考慮して変更することは、勿論、可能である。
【００１６】
仕切部５は、パイプをコ字状に曲げ、横部分５ａと縦部分５ｂとで形成されている。しかし、仕切部は、パイプに限定されず、平板状のもので形成してもよい。書籍との摩擦を高めるためには平板状の仕切部が好ましいが、シンプルなデザインという点ではパイプのほうが好適である。パイプにも摩擦を高める摩擦増大部を簡単に設けることができる。このパイプの底板３への固定機構は、どのようなものでもよいが、たとえば図４に示すように、底板３の表面Ｓｔ側にも裏面Ｓｂ側にも段差が付いた貫通孔３ｈを設けておき、仕切部５のパイプの端部に埋め込んで固定したねじ５ｐを、底板３の表面Ｓｔ側から貫通孔３ｈに挿し込む。そして反対側の面Ｓｂに設けた段差にナット１３を入れてねじ５ｐに螺合させてねじ止めするのがよい。ナット１３は、面Ｓｂから突き出ることがないように段差深さおよびナット１３の厚みを決める。
【００１７】
図５は、上記の本立て１０に書籍を立てかけた状態を示す図である。本立て１０は、書籍Ｂの重みで片方に傾き、床面２１に着いた底板３の端と、湾曲部３ｂとで、本立て１０は安定に支持される。そして、傾いた状態になると、底板３の平板部３ａから直立する仕切部５に書籍Ｂは押し当てられるため、書籍の重量が直立する姿勢にそのまま負荷されず、部分的に仕切部に負担され、仕切部５に垂直にかかる書籍の重量成分を生じる。このため、書籍の面に沿って書籍に働く重力は小さくなるが、上記の仕切部５に垂直方向に力がかかると、その他に摩擦力という、形崩れを防止するのに有効な力が発生する。
【００１８】
図６は、本立てが傾いたとき、書籍Ｂの重量Ｗが仕切部５と底板３にどのように負担されるかを説明するための図である。書籍Ｂの重量Ｗは鉛直方向にかかるが、これを直交する仕切部５に沿う方向と、底板３に沿う方向とに分解すると、仕切部５に垂直に抗力Ｗ１が作用し、また底板３に垂直に抗力Ｗ２が作用する。
【００１９】
仮に、いま、書籍Ｂと底板３との摩擦力の影響を無視できるとして、仕切部５と書籍Ｂとの摩擦力のみを考察する。書籍Ｂが、Ｊの字状に崩れようとするとき、仕切部５と書籍Ｂとの摩擦係数をμ１とすると、書籍Ｂに対して摩擦力Ｆ１（＝μ１×Ｗ１）が書籍に対して上向きに作用し、腰の弱い書籍の場合はＪ字状に崩れるのに、またハードカバーの書籍の場合はすべり落ちるのに、抗しようとする。摩擦力Ｆ１が十分大きければ、書籍Ｂのすべりや形崩れは防止される。このため、仕切部５と書籍Ｂとの間の摩擦係数を高めることは、書籍Ｂのすべりや形崩れを防止するのに有効である。すなわち、最初に仕切部に立てかけられる書籍のすべりや形崩れを、一層確実に防止するのに、仕切部５に摩擦増大部を設けることが大きく影響する。
【００２０】
図７は、粗面化層５５を仕切部５のパイプ表面に設けた状態を示す図である。粗面化層５５の配置により、書籍Ｂは、すべり、またＪ字状に形崩れしようとするとき、大きな摩擦力Ｆ１が後上方に引き上げるように作用するので、すべりやＪ字状の形崩れを防止することができる。仕切部５に設ける粗面化層は、図３に示すパイプを曲げた形状の場合、横部分５ａに設けた粗面化層５５ａが、縦部分５ｂに設ける粗面化層５５ｂよりも、すべり防止やＪ字状の形崩れ防止には有効である。すべりやＪ字状の形崩れが起きるとき、書籍Ｂはパイプの横部分５ａに強く押し当てられるので、この部分の摩擦係数が大きければ、書籍Ｂに対してより大きな摩擦力Ｆ１が上後方に書籍Ｂを引き上げるように働くからである。本立ては、支点のどちら側に本を最初に置くかによって傾く向きが変わるので、上記の粗面化層５５は、図７に示した仕切部５のパイプの一方の側の面だけでなく、その裏側の面にも設けておく。
【００２１】
また、図６において、書籍Ｂが、すべり、また形崩れしようとするとき、底板３と書籍Ｂの下端との摩擦係数μ２を高めることにより、書籍下端の底板３の表面上でのすべりを防止して、最初に仕切部５に立てかける書籍に対してもまた２冊目以降の書籍に対しても、ハードカバー書籍のすべり防止、ソフトカバーの書籍類のＪ字状の形崩れ防止のための摩擦力を及ぼすことができる。底板３の表面に粗面化層３３を形成することは、本立て１０に立てかけるすべての書籍のすべり防止および形崩れ防止に有効に作用する。粗面化層３３は、図８に示すように幅方向に微細な切れ込みが入った層であってもよいし、図９に示すように面状に形成された高摩擦シートであってもよい。
【００２２】
本発明の本立ては、上記の摩擦係数を特別に高める方策を用いなくても、素材同士が本来、備える摩擦力（互いの間に生じる摩擦力がゼロの材料はない）によって、傾くだけで書籍の形崩れを防止することができる。さらに、上記の摩擦係数μ１，μ２を高める粗面化層３３，５５を設けることにより、すべりや形崩れを一層確実に防止することができる。上記の粗面化層の形成は、本立て全体のデザイン性を損なわない範囲内で行うのが好ましい。上記の本発明の本立ては、機能的なデザイン性に優れ、さらに遊び感覚を呼び起こし、かつ書籍や雑誌類をすべりや形崩れなく立てかけることができる。
【００２３】
本実施の形態では、凸部は平坦部と同じ厚みの板が張り出した湾曲部についてのみ説明したが、凸部は上記湾曲部に限定されない。たとえば図１０に示すように台形状の凸部９が底板３に取り付けられた構造であってもよい。このような台形状凸部９によれば、左右の重量の多少の不均衡は台形部分の頂面で幾分吸収して、書籍をのせる前から底板の一方の端が床面に着くような工作上の不手際を示すことを緩和することができる。また、図１１のように、湾曲部が２つあるような凸部１９を底板に取り付けてもよい。２つの湾曲部１９により、重量の不均衡による書籍を載せる前からの傾きは、より確実に防止することができる。また、図示はしないが、底板の中央部以外に凸部を設けたり、また大小２つの凸部を設けて、上述のように、最初（書籍が全くのらない状態）から本立てを傾けた状態にしてもよい。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２５】
本発明の本立ては、機能美に優れ、室内等に置いて遊び感覚を呼び起こし、かつ書籍や雑誌類をすべりや形崩れなく立てかけられることができるため、児童から大人まで書籍および書籍の整理への関心を惹起することが期待される。
【図面の簡単な説明】
【００２６】
【図１】本発明の実施の形態における本立てを示す正面図である。
【図２】図１の本立ての上面図である。
【図３】図１の本立ての側面図である。
【図４】仕切部の底板への固定機構を示す図である。
【図５】本実施の形態の本立てに書籍を立てかけた状態を示す図である。
【図６】本立てが傾いた状態での書籍の重量の分配を説明するための図である。
【図７】粗面化層を有する仕切部を示す図である。
【図８】幅方向に沿った、細かい溝の粗面化層を有する底板を示す図である。
【図９】粗面化シールを貼着した底板を示す図である。
【図１０】台形状の湾曲部を凸部とする本発明の本立ての変形例である。
【図１１】２つの湾曲部を凸部とする本発明の本立ての別の変形例である。
【符号の説明】
【００２７】
３  底板、３ａ  底板の平坦部、３ｂ  突出部、３ｈ  貫通孔、５  仕切部、５ａ  パイプの横部、５ｂ  パイプの縦部、５ｐ  パイプに固定したねじ、９  台形状湾曲の凸部、１０  本立て、１３  ナット、１９  ２つの湾曲部を持つ凸部、２１  床面、３３  底板に設けた摩擦増大層、５５ａ，５５ｂ，５５  仕切部に設けた摩擦増大層、Ｂ  書籍、Ｓｔ  底板の表面（仕切部側）、Ｓｂ  底板裏面、  Ｗ  書籍の重量、Ｗ１  傾いた状態での、Ｗの仕切部面への垂直成分、Ｗ２  Ｗの底板面への垂直成分、μ１  書籍と仕切部との摩擦係数、μ２  書籍と底板との摩擦係数。
【図１】
2008061882.tif 000003
【図２】
2008061882.tif 000004
【図３】
2008061882.tif 000005
【図４】
2008061882.tif 000006
【図５】
2008061882.tif 000007
【図６】
2008061882.tif 000008
【図７】
2008061882.tif 000009
【図８】
2008061882.tif 000010
【図９】
2008061882.tif 000011
【図１０】
2008061882.tif 000012
【図１１】
2008061882.tif 000013